(57)【特許請求の範囲】
【請求項１】
所定の受信周波数に基づいて放送信号を受信するチューナと、上記受信された放送信号から映像信号および音声信号を生成するクロマＩＣと、指示された所定の音量出力レベルに基づいて上記音声信号を増幅する音量増幅回路と、上記増幅された音声信号を出力するスピーカと、音量レベルを指示する操作パネルおよびリモコンと、上記映像信号を増幅するカソードアンプと、増幅された映像信号に基づいて画面表示を行うＣＲＴと、上記クロマＩＣにて生成された映像信号を入力して上記カソードアンプに対して出力するオンスクリーンディスプレイ回路を有して同指示された音量レベルに基づいて上記音量増幅回路に上記音量出力レベルを指示するマイコンとを具備するテレビジョンにおいて、
上記操作パネルあるいは上記リモコンから指示される音量レベルと上記スピーカから出力される音量出力が表された音量出力レベルとを対応させた複数の異なる音量出力パターンであって同音量レベルを横軸にして同音量出力レベルを縦軸にした平面上で同音量レベルと同音量出力レベルとが比例した直線よりも下側に凸形状とされた第一の音量出力パターンおよび上側に凸形状とされた第二の音量出力パターンとを有する複数の音量出力パターンがそれぞれ表された各音量出力パターンテーブルが記憶されたＥＥＰＲＯＭを備え、
上記操作パネルおよび上記リモコンは、上記ＥＥＰＲＯＭに記憶された各音量出力パターンテーブルで表される各音量出力パターンからいずれかの音量出力パターンを選択可能であり、
上記マイコンは、同選択された音量出力パターンが表された音量出力パターンテーブルから上記指示された音量レベルに対応する音量出力レベルを取得し、取得した音量出力レベルに基づいて上記音量増幅回路に上記音声信号を増幅させるとともに、上記操作パネルあるいは上記リモコンから音量レベルの指示を入力した場合、上記音量レベルを横軸にして上記音量出力レベルを縦軸にした平面上で上記音量レベルと上記音量出力レベルとの対応関係を示したパターンイメージで上記選択された音量出力パターンを視認可能に表示させながら当該音量出力パターンを用いて現在の音量レベルを表示させる映像信号を上記オンスクリーンディスプレイ回路から上記カソードアンプへ出力することを特徴とするテレビジョン。
【請求項２】
上記複数の音声出力パターンは、上記音量レベルを横軸にして上記音量出力レベルを縦軸にした平面上で、上記音量レベルと上記音量出力レベルとが比例した第三の音量出力パターン、並びに、この第三の音量出力パターンよりも下側に凸形状とされた上記第一の音量出力パターンおよび上側に凸形状とされた上記第二の音量出力パターンとを有する複数の音量出力パターンとされていることを特徴とする請求項１に記載のテレビジョン。
【請求項３】
指示される音量レベルと音量出力が表された音量出力レベルとを対応させた複数の異なる音量出力パターンであって同音量レベルを横軸にして同音量出力レベルを縦軸にした平面上で同音量レベルと同音量出力レベルとが比例した直線よりも下側に凸形状とされた第一の音量出力パターンおよび上側に凸形状とされた第二の音量出力パターンとを有する複数の音量出力パターンを出力可能なパターン出力手段と、
上記出力可能な音量出力パターンからいずれかの音量出力パターンを選択する音量出力パターン選択手段と、
上記音量レベルの指示を入力する音量レベル入力手段と、
上記選択された音量出力パターンから上記入力した音量レベルに対応する音量出力レベルを取得し、取得した音量出力レベルに基づいて音量出力を制御する音量出力制御手段と、
上記音量レベル入力手段から音量レベルの指示を入力した場合、上記音量レベルを横軸にして上記音量出力レベルを縦軸にした平面上で上記音量レベルと上記音量出力レベルとの対応関係を示したパターンイメージで上記選択された音量出力パターンを視認可能に表示しながら当該音量出力パターンを用いて現在の音量レベルを表示する選択音量出力パターン表示手段とを具備することを特徴とする音量出力制御装置。
【請求項４】
上記複数の音声出力パターンは、上記音量レベルを横軸にして上記音量出力レベルを縦軸にした平面上で、上記音量レベルと上記音量出力レベルとが比例した第三の音量出力パターン、並びに、この第三の音量出力パターンよりも下側に凸形状とされた上記第一の音量出力パターンおよび上側に凸形状とされた上記第二の音量出力パターンとを有する複数の音量出力パターンとされていることを特徴とする請求項３に記載の音量出力制御装置。
【請求項５】
上記パターン出力手段は、予め記憶した音量レベルと出力レベルとを対応させたテーブルデータに基づいて上記音量出力パターンを出力可能であるとともに、上記音量出力制御手段は、上記選択された音量出力パターンに対応する上記テーブルデータから上記入力した音量レベルに対応した出力レベルを抽出し、同抽出した出力レベルに基づいて音量出力を制御することを特徴とする上記請求項３または請求項４に記載の音量出力制御装置。
【請求項６】
上記パターン出力手段は、所定の音量レベルから出力レベルを算出する演算式に基づいて上記音量出力パターンを出力可能であるとともに、上記音量出力制御手段は、上記選択された音量出力パターンに対応する演算式を使用して上記入力した音量レベルから出力レベルを算出し、同算出した出力レベルに基づいて音量出力を制御することを特徴とする上記請求項３または請求項４に記載の音量出力制御装置。
【請求項７】
上記音量レベル入力手段は、所定の音量出力を維持させる音量レベルを指示する維持音量レベル指示を入力可能であるとともに、上記音量出力制御手段は、上記選択された音量出力パターンにて同指示された維持音量レベル以上の音量出力を同維持音量レベルに対応する音量出力に制御することを特徴とする上記請求項３〜請求項６のいずれかに記載の音量出力制御装置。
【請求項８】
指示される音量レベルと音量出力が表された音量出力レベルとを対応させた複数の異なる音量出力パターンであって同音量レベルを横軸にして同音量出力レベルを縦軸にした平面上で同音量レベルと同音量出力レベルとが比例した直線よりも上側に凸形状とされた第一の音量出力パターンおよび下側に凸形状とされた第二の音量出力パターンとを有する複数の音量出力パターンを出力可能なパターン出力工程と、
上記出力可能な音量出力パターンからいずれかの音量出力パターンを選択する音量出力パターン選択工程と、
上記音量レベルの指示を入力する音量レベル入力工程と、
上記選択された音量出力パターンから上記入力した音量レベルに対応する音量出力レベルを取得し、取得した音量出力レベルに基づいて音量出力を制御する音量出力制御工程と、
上記音量レベルの指示を入力した場合、上記音量レベルを横軸にして上記音量出力レベルを縦軸にした平面上で上記音量レベルと上記音量出力レベルとの対応関係を示したパターンイメージで上記選択された音量出力パターンを視認可能に表示しながら当該音量出力パターンを用いて現在の音量レベルを表示する選択音量出力パターン表示工程とを具備することを特徴とする音量出力制御方法。
【発明の詳細な説明】
【０００１】
【発明の属する技術分野】
本発明は、テレビジョン、音量出力制御装置および音量出力制御方法に関し、特に、音量出力パターンを制御するテレビジョン、音量出力制御装置および音量出力制御方法に関する。
【０００２】
【従来の技術】
従来、テレビジョンは、一つの音量出力パターンを備え、この音量出力パターンに基づいて、操作パネル若しくはリモコンから指示される音量レベルに対応して音量出力を制御していた。また、テレビジョンにて音量出力を制御するボリュームの技術としては、特開平５−１６７３６５号公報に開示されているものが知られている。
【０００３】
【発明が解決しようとする課題】
音量を感じ取る感覚は、人それぞれ異なる。音量レベルの指示に対応して、音量出力を徐々に大きくしていきたい人もいれば、直ぐに大音量の音量出力を得たい人もいる。また、音量レベルの指示に対応して、通常よりは相対的に大きな音量出力を得たい場合がある（例えば、店頭販売等）。しかし、従来のテレビジョンにおいては、音量出力パターンが一つしかないため、このような状況に柔軟に対応できない。対応する場合は、音量出力パターンを個別に変更する作業が必要であり、非現実的である。また、上記公報に開示された技術は、小音量レベルのＳ／Ｎを高くすることを可能にする技術を開示するものであり、本発明の課題を解決することはできない。
【０００４】
本発明は、上記課題にかんがみてなされたもので、所望の音量出力パターンに基づいて音量出力を行うことができ、選択している音量出力パターンを認識するとともに現在の音量レベルを認識することができ、直感的に音量出力パターンを視認することが可能なテレビジョン、音量出力制御装置および音量出力制御方法の提供を目的とする。
【０００５】
【課題を解決するための手段】
上記目的を達成するため、請求項１にかかる発明は、所定の受信周波数に基づいて放送信号を受信するチューナと、上記受信された放送信号から映像信号および音声信号を生成するクロマＩＣと、指示された所定の音量出力レベルに基づいて上記音声信号を増幅する音量増幅回路と、上記増幅された音声信号を出力するスピーカと、音量レベルを指示する操作パネルおよびリモコンと、上記映像信号を増幅するカソードアンプと、増幅された映像信号に基づいて画面表示を行うＣＲＴと、上記クロマＩＣにて生成された映像信号を入力して上記カソードアンプに対して出力するオンスクリーンディスプレイ回路を有して同指示された音量レベルに基づいて上記音量増幅回路に上記音量出力レベルを指示するマイコンとを具備するテレビジョンにおいて、上記操作パネルあるいは上記リモコンから指示される音量レベルと上記スピーカから出力される音量出力が表された音量出力レベルとを対応させた複数の異なる音量出力パターンであって同音量レベルを横軸にして同音量出力レベルを縦軸にした平面上で同音量レベルと同音量出力レベルとが比例した直線よりも下側に凸形状とされた第一の音量出力パターンおよび上側に凸形状とされた第二の音量出力パターンとを有する複数の音量出力パターンがそれぞれ表された各音量出力パターンテーブルが記憶されたＥＥＰＲＯＭを備え、上記操作パネルおよび上記リモコンは、上記ＥＥＰＲＯＭに記憶された各音量出力パターンテーブルで表される各音量出力パターンからいずれかの音量出力パターンを選択可能であり、上記マイコンは、同選択された音量出力パターンが表された音量出力パターンテーブルから上記指示された音量レベルに対応する音量出力レベルを取得し、取得した音量出力レベルに基づいて上記音量増幅回路に上記音声信号を増幅させるとともに、上記操作パネルあるいは上記リモコンから音量レベルの指示を入力した場合、上記音量レベルを横軸にして上記音量出力レベルを縦軸にした平面上で上記音量レベルと上記音量出力レベルとの対応関係を示したパターンイメージで上記選択された音量出力パターンを視認可能に表示させながら当該音量出力パターンを用いて現在の音量レベルを表示させる映像信号を上記オンスクリーンディスプレイ回路から上記カソードアンプへ出力する構成としてある。
【０００６】
テレビジョンにおいては、チューナにて所定の受信周波数に基づいて放送信号を受信し、クロマＩＣにてこの受信した放送信号から音声信号を生成する。ここで、音量増幅回路では、クロマＩＣから音声信号を入力するとともに、マイコンが操作パネルおよびリモコンから入力した音量レベルの指示に基づいて作成した音量出力レベルを入力し、同入力した音量出力レベルに従って音声信号を増幅する。そして、スピーカはこの増幅された音声信号を音声出力し利用者に聴取可能にする。従来は、音量レベルに対して音量出力レベルは一対一で対応している。すなわち、一つのパターンに従った音量出力しか実現できなかった。しかし、利用者の使用態様あるいは聴覚等に応じて、音量レベルに対して必要となる音量出力レベルは違い得る。従って、利用者が複数音量出力パターンから所望の音量出力パターンを選択し、この選択した音量出力パターンに基づいて、音量レベルに対応した音量出力を得ることができると好適である。
【０００７】
そこで、上記のように構成した請求項１にかかる発明においては、ＥＥＰＲＯＭに予め異なる複数の音量出力パターンを格納しておく。ここで、利用者は、操作パネルおよびリモコンにてＥＥＰＲＯＭに記憶された複数の音量出力パターンから所定の音量出力パターンを選択する。マイコンは、この操作パネルおよびリモコンによって選択された音量出力パターンを取得するとともに、操作パネルおよびリモコンから音量レベルの指示を入力する。そして、マイコンは、この取得した音量出力レベルおよび入力した音量レベルに基づいた音量出力レベルを音量増幅回路に指示する。これによって、利用者は所望の音量出力パターンに応じた音量出力を得ることが可能になる。
出力可能な異なる音量出力パターンから適宜音量出力パターンを選択した場合、利用者は現在使用している音量出力パターンが不明となることがある。また、音量出力パターンを表示するに際して、利用者が直感的に選択されている音量出力パターンが何れであるかを判別できると好適である。
そこで、上記ＥＥＰＲＯＭは、上記操作パネルあるいは上記リモコンから指示される音量レベルと上記スピーカから出力される音量出力が表された音量出力レベルとを対応させた複数の異なる音量出力パターンであって同音量レベルを横軸にして同音量出力レベルを縦軸にした平面上で同音量レベルと同音量出力レベルとが比例した直線よりも下側に凸形状とされた第一の音量出力パターンおよび上側に凸形状とされた第二の音量出力パターンとを有する複数の音量出力パターンがそれぞれ表された各音量出力パターンテーブルが記憶されている。上記マイコンは、上記選択された音量出力パターンが表された音量出力パターンテーブルから上記指示された音量レベルに対応する音量出力レベルを取得し、取得した音量出力レベルに基づいて上記音量増幅回路に上記音声信号を増幅させるとともに、上記操作パネルあるいは上記リモコンから音量レベルの指示を入力した場合、上記音量レベルを横軸にして上記音量出力レベルを縦軸にした平面上で上記音量レベルと上記音量出力レベルとの対応関係を示したパターンイメージで上記選択された音量出力パターンを視認可能に表示させながら当該音量出力パターンを用いて現在の音量レベルを表示させる映像信号を上記オンスクリーンディスプレイ回路から上記カソードアンプへ出力する。
【０００８】
上述してきた構成によって、適宜複数の音量出力パターンから所望の音量出力パターンを選択し、この音量出力パターンに基づいて音量レベルに対応した音量出力を行うことが可能になる。一方、かかる技術的思想は、その技術を適用する具体的機器、すなわち、テレビジョンに限定されるものでなく、複数の音量出力パターンから所定の音量出力パターンを選択し、この選択した音量出力パターンに基づいて音量レベルに対応して音量出力を制御する音量出力制御装置としても成立し得ることは言うまでもない。
【０００９】
そこで、請求項３にかかる発明は、指示される音量レベルと音量出力が表された音量出力レベルとを対応させた複数の異なる音量出力パターンであって同音量レベルを横軸にして同音量出力レベルを縦軸にした平面上で同音量レベルと同音量出力レベルとが比例した直線よりも下側に凸形状とされた第一の音量出力パターンおよび上側に凸形状とされた第二の音量出力パターンとを有する複数の音量出力パターンを出力可能なパターン出力手段と、上記出力可能な音量出力パターンからいずれかの音量出力パターンを選択する音量出力パターン選択手段と、上記音量レベルの指示を入力する音量レベル入力手段と、上記選択された音量出力パターンから上記入力した音量レベルに対応する音量出力レベルを取得し、取得した音量出力レベルに基づいて音量出力を制御する音量出力制御手段と、上記音量レベル入力手段から音量レベルの指示を入力した場合、上記音量レベルを横軸にして上記音量出力レベルを縦軸にした平面上で上記音量レベルと上記音量出力レベルとの対応関係を示したパターンイメージで上記選択された音量出力パターンを視認可能に表示しながら当該音量出力パターンを用いて現在の音量レベルを表示する選択音量出力パターン表示手段とを具備する構成としてある。
【００１０】
上記のように構成した請求項３にかかる発明においては、所定の音量出力パターンに基づき、指示された音量レベルに対応して音量出力を制御する音量出力制御装置を提供する。かかる機能を実現するに際しては、パターン出力手段にて異なる音量出力パターンを出力可能にする。ここで、音量出力を行うに際して、音量出力パターン選択手段にて、このパターン出力手段から出力される異なる音量出力パターンから所定の音量出力パターンを選択する。そして、音量出力制御手段は、音量出力パターン選択手段にて選択された音量出力パターンに基づいて、音量レベル入力手段にて入力した音量レベルに対応して音量出力を制御する。
出力可能な異なる音量出力パターンから適宜音量出力パターンを選択した場合、利用者は現在使用している音量出力パターンが不明となることがある。また、音量出力パターンを表示するに際して、利用者が直感的に選択されている音量出力パターンが何れであるかを判別できると好適である。
そこで、パターン出力手段は、指示される音量レベルと音量出力が表された音量出力レベルとを対応させた複数の異なる音量出力パターンであって同音量レベルを横軸にして同音量出力レベルを縦軸にした平面上で同音量レベルと同音量出力レベルとが比例した直線よりも下側に凸形状とされた第一の音量出力パターンおよび上側に凸形状とされた第二の音量出力パターンとを有する複数の音量出力パターンを出力可能である。選択音量出力パターン表示手段は、上記音量レベル入力手段から音量レベルの指示を入力した場合、上記音量レベルを横軸にして上記音量出力レベルを縦軸にした平面上で上記音量レベルと上記音量出力レベルとの対応関係を示したパターンイメージで上記選択された音量出力パターンを視認可能に表示しながら当該音量出力パターンを用いて現在の音量レベルを表示する。
【００１１】
音量出力制御手段にて選択された音量出力パターンに基づいて、入力した音量レベルに対応して音量出力を制御する手法の一例として、請求項５にかかる発明は、上記請求項３または請求項４に記載の音量出力制御装置において、上記パターン出力手段は、予め記憶した音量レベルと出力レベルとを対応させたテーブルデータに基づいて上記音量出力パターンを出力可能であるとともに、上記音量出力制御手段は、上記選択された音量出力パターンに対応する上記テーブルデータから上記入力した音量レベルに対応した出力レベルを抽出し、同抽出した出力レベルに基づいて音量出力を制御する構成としてある。
上記のように構成した請求項５にかかる発明において、パターン出力手段は、予め記憶させた音量レベルと出力レベルとを対応させたテーブルデータに基づいて音量出力パターンを出力可能になっている。ここで、音量出力パターン選択手段にて、テーブルデータに基づいて出力可能になっている音量出力パターンから所定の音量出力パターンを選択する。そして、音量出力制御手段は、選択された音量出力パターンに対応するテーブルデータを取得し、同テーブルデータから入力した音量レベルに対応した出力レベルを抽出し、この抽出した出力レベルに基づいて音量出力を制御する。
【００１２】
音量出力制御手段にて選択された音量出力パターンに基づいて、入力した音量レベルに対応して音量出力を制御する手法の他の一例として、請求項６にかかる発明は、上記請求項３または請求項４に記載の音量出力制御装置において、上記パターン出力手段は、所定の音量レベルから出力レベルを算出する演算式に基づいて上記音量出力パターンを出力可能であるとともに、上記音量出力制御手段は、上記選択された音量出力パターンに対応する演算式を使用して上記入力した音量レベルから出力レベルを算出し、同算出した出力レベルに基づいて音量出力を制御する構成としてある。
上記のように構成した請求項６にかかる発明において、パターン出力手段は、所定の音量レベルから出力レベルを算出する演算式を有し、この演算式を利用して異なる音量出力パターンを出力可能になっている。ここで、音量出力パターン選択手段にて、演算式にて出力可能な異なる音量出力パターンから所定の音量出力パターンを選択する。そして、音量出力制御手段は、選択された音量出力パターンに対応する演算式を使用して入力した音量レベルから出力レベルを算出するとともに、この算出した出力レベルに基づいて音量出力を制御する。
【００１３】
出力可能な音量出力パターンの一例として、上記請求項３〜請求項６のいずれかに記載の音量出力制御装置においては、上記音量出力パターンは、小音量レベル側の音量出力の変化度合い小さいとともに大音量レベル側の音量出力の変化度合いが大きい第一音量出力パターンと、小音量レベル側の音量出力の変化度合いが大きいとともに大音量レベル側の音量出力の変化度合いが小さい第二音量出力パターンを有する構成としてもよい。
上記のように構成した発明においては、音量出力パターンを小音量レベル側の音量出力の変化度合い小さいとともに大音量レベル側の音量出力の変化度合いが大きい第一音量出力パターンと、小音量レベル側の音量出力の変化度合いが大きいとともに大音量レベル側の音量出力の変化度合いが小さい第二音量出力パターンとによって構成する。
上記発明によれば、音量出力パターンの一例を提示することができる。
【００１４】
上記音量レベル入力手段から音量レベルの指示を入力した場合、上記選択された音量出力パターンを視認可能に表示する選択音量出力パターン表示手段を有するように構成した発明においては、操作パネルあるいはリモコン等により音量レベルが操作され、音量レベル入力手段にて音量レベルの指示を入力した場合、選択音量出力パターン表示手段にて、選択されている音量出力パターンを視認可能に表示する。
【００１５】
上記選択音量出力パターン表示手段は、音量レベルと音量出力との対応関係を示したパターンイメージを表示するように構成した発明においては、選択音量出力パターン表示手段にて、音量出力パターンを音量レベルと音量出力との対応関係を示したパターンイメージによって表示する。
【００１６】
以上の手法を利用することによって、利用者は所望の音量出力パターンに基づいた音量出力を取得することができる。ここで、利用者によっては利用態様により所定の音量出力以上の音量出力を望まない場合もあり得る。かかる場合、所定の音量出力以上の何れの音量出力パターンを選択したとしてもこの所定の音量出力以上の音量出力を行わないように制御することができると好適である。そこで、請求項７にかかる発明は、上記請求項３〜請求項６のいずれかに記載の音量出力制御装置において、上記音量レベル入力手段は、所定の音量出力を維持させる音量レベルを指示する維持音量レベル指示を入力可能であるとともに、上記音量出力制御手段は、上記選択された音量出力パターンにて同指示された維持音量レベル以上の音量出力を同維持音量レベルに対応する音量出力に制御する構成としてある。
【００１７】
上記のように構成した請求項７にかかる発明においては、上記音量レベル入力手段にて所定の音量出力を維持させる音量レベルを指示する維持音量レベル指示を入力可能にする。そして、音量出力制御手段は、音量出力パターン選択手段にて選択された音量出力パターンに基づいて、音量レベル入力手段が維持音量レベル指示手段から入力した維持音量レベル以上の音量出力を同維持音量レベルに対応する音量出力に制御する。
【００１８】
また、所定の音量出力パターンに基づき、指示された音量レベルに対応して音量出力を制御する手法は必ずしも実体のある装置に限られる必要はなく、その方法としても機能することは容易に理解できる。
このため、請求項８にかかる発明は、指示される音量レベルと音量出力が表された音量出力レベルとを対応させた複数の異なる音量出力パターンであって同音量レベルを横軸にして同音量出力レベルを縦軸にした平面上で同音量レベルと同音量出力レベルとが比例した直線よりも上側に凸形状とされた第一の音量出力パターンおよび下側に凸形状とされた第二の音量出力パターンとを有する複数の音量出力パターンを出力可能なパターン出力工程と、上記出力可能な音量出力パターンからいずれかの音量出力パターンを選択する音量出力パターン選択工程と、上記音量レベルの指示を入力する音量レベル入力工程と、上記選択された音量出力パターンから上記入力した音量レベルに対応する音量出力レベルを取得し、取得した音量出力レベルに基づいて音量出力を制御する音量出力制御工程と、上記音量レベルの指示を入力した場合、上記音量レベルを横軸にして上記音量出力レベルを縦軸にした平面上で上記音量レベルと上記音量出力レベルとの対応関係を示したパターンイメージで上記選択された音量出力パターンを視認可能に表示しながら当該音量出力パターンを用いて現在の音量レベルを表示する選択音量出力パターン表示工程とを具備する構成としてある。
すなわち、必ずしも実体のある装置に限らず、その方法としても有効であることに相違はない。
【００１９】
【発明の効果】
以上説明したように請求項１、請求項２にかかる発明によれば、所望の音量出力パターンに応じた音量出力を得ることができ、選択している音量出力パターンを認識するとともに現在の音量レベルを認識することができ、直感的に音量出力パターンを視認することが可能なテレビジョンを提供することができる。
また、請求項３、請求項４、請求項８にかかる発明によれば、選択した音量出力パターンに基づいて、音量レベルに対応して音量出力を制御することができ、選択している音量出力パターンを認識するとともに現在の音量レベルを認識することができ、直感的に音量出力パターンを視認することが可能な音量出力制御装置、音量出力制御方法を提供することができる。
さらに、請求項５にかかる発明によれば、音量出力パターンを実現する手法の一例を提示することができる。
さらに、請求項６にかかる発明によれば、音量出力パターンを実現する手法の他の一例を提示することができる。
【００２０】
さらに、請求項７にかかる発明によれば、所定の音量出力以上の音量出力をカットすることができる。
【００２１】
【発明の実施の形態】
ここでは、下記の順序に従って本発明の実施形態について説明する。
（１）テレビジョンの構成：
（２）音量出力パターンの選択について：
（３）まとめ：
【００２２】
（１）テレビジョンの構成：
図１は、本発明の実施形態にかかるテレビジョンの構成を示したブロック構成図である。また、図２は、このテレビジョンに配設されるクロマＩＣの内部構成を示した内部構成図である。図において、テレビジョン１００はマイコン１０を備え、このマイコン１０には、チューナＩＣ２０と、クロマＩＣ３０と、ＥＥＰＲＯＭ４０とが図示しないＩＩＣバスによって接続されるとともに、操作パネル５０およびリモコン装置７０が当該マイコン１０に対して、直接に接続されている。従って、マイコン１０は、操作パネル５０あるいはリモコン装置７０にて行われる各種操作を受け付けるとともに、同操作に基づいてテレビジョン１００を制御する。また、チューナＩＣ２０には、アンテナ２１と、クロマＩＣ３０とが接続されている。
【００２３】
ここで、クロマＩＣ３０には、オーディオアンプ６３と、偏向回路６５とが接続されるとともに、マイコン１０内のオンスクリーンディスプレイ（ＯＳＤ）回路１５を介してカソードアンプ６１が接続されている。ＣＲＴ６２は、偏向コイル６６が取り付けられるとともにカソードアンプ６１とフライバックトランス（ＦＢＴ）６７とに接続され、画面を表示することが可能になっている。また、スピーカ６４は、オーディオアンプ６３に接続され、音声を出力することが可能になっている。そして、マイコン１０がテレビジョン１００全体を制御することにより、テレビジョンとしての機能を実現している。
【００２４】
また、チューナＩＣ２０は、いわゆる周波数シンセサイザ方式のチューナであり、内部に図示しない高周波増幅回路、局部発振回路、混合回路等を備えている。むろん、チューナを周波数シンセサイザ方式とするのは一例に過ぎず、例えば、電圧シンセサイザ方式としてもよい。高周波増幅回路は、バンドパスフィルタを有しており、マイコン１０の制御に基づいて、アンテナ２１からこのバンドパスフィルタを介して所望周波数に対応する放送電波を受信し、増幅して高周波信号を生成する。この高周波信号の周波数は、選局した放送の放送信号と同じ周波数である。高周波増幅回路は、生成した高周波信号を混合回路に出力する。
【００２５】
局部発振回路は、ＰＬＬ（Ｐｈａｓｅ  Ｌｏｃｋｅｄ  Ｌｏｏｐ）回路により構成されており、このＰＬＬ回路により放送電波の所望周波数に対応する局部発振周波数の局部発振信号を生成して混合回路に出力する。混合回路は、高周波増幅回路からの出力と局部発振回路からの局部発振信号とを混合して中間周波信号（ＩＦ）に変換し、クロマＩＣ３０に出力する。その際、中間周波信号をＳＡＷフィルタに通過させてからクロマＩＣに出力してもよい。なお、高周波増幅回路、局部発振回路、混合回路は、従来から採用されている種々のテレビジョン用の回路を適用することができる。
【００２６】
次に、クロマＩＣ３０の内部構成について説明する。クロマＩＣ３０は、チューナＩＣ２０に接続された中間周波増幅（ＶＩＦ）回路３１と、マイコン１０と図示しない水晶発振回路に接続されたＶＣＯ（Ｖｏｌｔａｇｅ  Ｃｏｎｔｒｏｌｅｄ  Ｏｓｃｉｌｌａｔｏｒ）回路３２と、ＶＣＯ回路３２とＶＩＦ回路３１に接続された検波回路３３と、検波回路３３に接続された同期回路３４と、検波回路３３に接続された映像信号増幅回路３５とを備えている。なお、このＶＩＦ回路３１、ＶＣＯ回路３２、検波回路３３、同期回路３４、映像信号増幅回路３５は、従来から採用されている種々のテレビジョン用の回路を適用することができる。
【００２７】
ＶＩＦ回路３１は、チューナＩＣ２０から出力された中間周波信号を中間周波増幅し、検波回路３３に出力する。ＶＣＯ回路３２は、水晶発振回路から入力される基準発振信号に基づいて発振信号を発振するとともに、入力される電圧に応じて発振信号の発振周波数を変更することが可能である。ここで、マイコン１０は受信する放送電波の種類に応じて対応する発振周波数となるように、ＶＣＯ回路３２に入力される電圧を制御している。検波回路３３は、発振信号の発振周波数に基づいて、ＶＩＦ回路３１にて中間周波増幅された中間周波信号を検波して映像信号と音声信号とを出力する。より具体的にいうと、検波回路３３は、中間周波増幅された中間周波信号から発振信号の発振周波数に同期しながら映像検波を行い、所定の色復調処理を施して映像信号を分離し外部に出力する。
【００２８】
映像信号増幅回路３５は、検波回路３３で得られた映像信号のうちの輝度信号をＣＲＴ６２を作動させるために必要な大きさまで増幅する。この映像信号増幅回路３５は映像信号を増幅して、カソードアンプ６１に映像信号を加えると同時に、同期分離や帯域増幅などにも分配している。音声の信号については、中間周波増幅された中間周波信号のうち音声成分と発振信号とを混合して第二音声中間周波信号を生成し、ＦＭ検波を行って音声信号とし、外部に出力する。さらに、検波回路３３は、検波の過程で発振信号の発振周波数に基づいて水平・垂直同期信号（ＳＹＮＣ）も生成して同期回路３４に出力する。同期回路３４は、入力される水平・垂直同期信号に基づいてのこぎり波状の水平・垂直ドライブ信号を生成し、水平偏向回路と垂直偏向回路とからなる偏向回路６５に出力するとともに、入力する水平・垂直同期信号の有無に応じて、放送信号が無信号状態（すなわち、受信局がない状態）であるか、有信号状態（すなわち、受信局がある状態）であるか否かを判別可能なＳＤ信号（ステーションディテクト信号）をマイコン１０に出力する。
【００２９】
映像信号増幅回路３５から出力された映像信号はＯＳＤ回路１５を介してカソードアンプ６１に出力され、このカソードアンプ６１にて増幅されてＣＲＴ６２に供給される。すると、ＣＲＴ６２は、増幅された映像信号に基づいて画面表示を行う。一方、音声信号についてはオーディオアンプ６３に出力され、このオーディオアンプ６３で増幅されてスピーカ６４に供給される。そして、スピーカ６４は、増幅された音声信号に基づいて音声を出力する。
【００３０】
偏向回路６５は、水平・垂直ドライブ信号に対応した所定のビーム電流を生成し、ＣＲＴ６２に取り付けられた偏向コイル６６に供給する。偏向コイル６６はこのビーム電流に基づく電子ビームをＣＲＴ６２の水平・垂直方向にドライブさせる。また、偏向回路６５で生じる高周波信号は、ＦＢＴ６７に供給され、ＣＲＴ６２に供給する高電圧が発生するようになっている。その結果、ＣＲＴ６２では映像信号に応じた電子ビームがドライブされながら放出され、ＣＲＴ６２の管面に画像が現れることになる。
【００３１】
ＥＥＰＲＯＭ４０は、読み書き可能な１ｋビットすなわち１２８バイトの不揮発性メモリである。このＥＥＰＲＯＭ４０には、チューナＩＣ２０に対するチャンネルのプリセットデータの他、コントラスト、輝度等の画質パラメータの設定データや、アメリカ向けか日本向けか等の仕向データや、音声出力がステレオであるかどうかを判別するデータや、機種を判別するデータ等、上記の制御に必要な複数の各種データが記憶されている。
【００３２】
ここで、マイコン１０は、ＣＰＵ１１と、ＲＯＭ１２と、ＲＡＭ１３と、Ｉ／Ｏポート１４と、ＯＳＤ回路１５と、Ａ／Ｄポート１６と、図示しないタイマ回路等を内蔵している。Ｉ／Ｏポート１４には、チューナＩＣ２０と、クロマＩＣ３０と、操作パネル５０と、リモコンとが接続されている。また、ＯＳＤ回路１５には、上述したとおり、クロマＩＣ３０と、カソードアンプ６１とが接続されている。そして、ＣＰＵ１１はＲＯＭ１２に記憶された所定のプログラムをＲＡＭ１３をワークエリアとしつつ実行して、上述したとおりテレビジョン１００全体の制御を行う。
【００３３】
さらに、マイコン１０に接続された操作パネル５０あるいはリモコン装置７０においては、同操作パネル５０あるいはリモコン装置７０に配設された図示しない音量ボタンによって音量レベルの増減操作が可能になっている。そして、マイコン１０は、この音量レベルの増減操作により設定された音量レベルに応じたパルス幅を有する増幅パルス信号を生成してオーディオアンプ６３に出力する。すると、オーディオアンプ６３は、この増幅パルス信号に基づいて、クロマＩＣ３０から入力した音声信号を増幅し、スピーカ６４に音声出力させる。図３は、マイコン１０とオーディオアンプ６３とスピーカ６４の接続構成を示した構成図である。同図においては、マイコン１０から出力される増幅パルス信号を５Ｖ電源にて吊り上げ、抵抗Ｒ１および電解コンデンサーＣ１を介してオーディオアンプ６３に接続する。上述したようにマイコン１０は、操作パネル５０あるいはリモコン装置７０による音量レベルの増減操作を入力し、この増減操作によって設定された音量出力レベルに対応してパルス幅を形成した増幅パルス信号を生成する。
【００３４】
このとき、増幅パルス信号が電解コンデンサーＣ１に入力されると、電解コンデンサーＣ１の作用によって、当該パルス幅に対応した増幅電圧が形成され、この増幅電圧がオーディオアンプ６３に入力される。例えば、増幅パルス信号のパルス幅がパルス幅ｔ１の場合は増幅電圧はＶ１となり、パルス幅ｔ２の場合は増幅電圧はＶ２となる。そして、最大パルス幅Ｔの場合に、増幅電圧が５Ｖとなる。そして、オーディオアンプ６３は、この入力した増幅電圧に基づいてクロマＩＣ３０から入力した音声信号を増幅することになる。ここで、マイコン１０が操作パネル５０あるいはリモコン装置７０による増減操作によって設定された音量レベルに基づいて増幅パルス信号を生成する場合、同増幅パルス信号のパルス幅を設定された音量レベルにより一意的に特定される音量出力レベルに基づいて形成する。この音量出力レベルは、設定され得る音量レベルに対応して特定されるものであり、音量レベルと音量出力レベルとの関係は、図４に示した音量出力パターンＰ１によって規定される。通常は、この音量レベルと音量出力レベルとは比例した関係を有するように規定されている。
【００３５】
同図において、音量レベルは０〜２０段階の間を遷移可能になっている。すなわち、利用者が操作パネル５０あるいはリモコン装置７０にて操作する音量レベルの増減操作は、０〜２０段階毎に行われる。同様に、この０〜２０段階の音量レベルの遷移に対応して、音量出力レベルも０〜２０段階にて遷移する。上述したように、音量レベルと音量出力レベルとは比例関係になっており、音量出力レベルは、音量出力パターンＰ１に基づいて、操作パネル５０あるいはリモコン装置７０による音量レベルの増減操作に比例対応したものとなるようになっている。ここで、この音量出力パターンＰ１は、具体的には音量出力パターンテーブルにて実現されている。この音量出力パターンテーブルのテーブル構成を図５に示す。
【００３６】
この音量出力パターンテーブルＴＢＬ１は、ＥＥＰＲＯＭ４０に格納され、適宜参照されることになる。同図において、音量出力パターンテーブルＴＢＬ１は、音量レベルの増減操作可能な０〜２０段階の音量レベルに対応して音量レベルデータＤ１が格納されるとともに、同音量レベルデータＤ１に対応して音量出力レベルデータＤ２が格納されている。すなわち、マイコン１０は、操作パネル５０あるいはリモコン装置７０による音量レベルの増減操作によって設定された音量レベルに対応した音量レベルデータＤ１に基づいて、音量出力レベルデータＤ２を抽出し、同抽出した音量出力レベルデータＤ２に設定されている音量出力レベルに基づいて増幅パルス信号のパルス幅を形成する。
【００３７】
（２）音量出力パターンの選択について：
このように、操作パネル５０あるいはリモコン装置７０にて音量レベルの増減操作が行われると、音量出力パターンＰ１に基づいて、増幅された音量の音声がスピーカ６４から出力される。ここで、利用者の用途に応じては、必要に応じて、異なる音声出力パターンを選択することができると好適な場合がある。例えば、音量レベルが小さい範囲では、音量レベルの増減操作による音量出力レベルの増減度合いを小さくし、音量レベルが大きい範囲では、音量レベルの増減操作による音量出力レベルの増減度合いを大きくしたい場合があったり、その反対に、音量レベルが小さい範囲では、音量レベルの増減操作による音量出力レベルの増減度合いを大きくし、音量レベルが大きい範囲では、音量レベルの増減操作による音量出力レベルの増減度合いを小さくしたい場合があったりする。そこで、本実施形態においては、テレビジョン１００に複数の音量出力パターンを備えさせ、利用者において、所望の音量出力パターンを選択可能にさせることによって、所望の音量出力を取得できることを可能にする。
【００３８】
ここで、本実施形態にて採用する複数の音量出力パターンの一例を図６に示す。同図において、音量出力パターンＰ１１は、上方に凸形状を有する放物線にて形成され、音量レベルが小さい範囲では、音量レベルの増減による音量出力レベルの増減度合いが大きくなり、音量レベルが大きい範囲では、音量レベルの増減による音量出力レベルの増減度合いが小さくなっている。すなわち、大音量を取得しやすい音量出力パターンとなっている。従って、当該音量出力パターンＰ１１は店頭デモ等、大音量を必要とする利用態様の場合に選択して好適である。音量出力パターンＰ１２は、音量レベルと音量出力レベルとが比例した直線にて形成され、音量レベルの増減度合いに比例して音量出力レベルが増減するようになっている。また、音量出力パターンＰ１３は、下方に凸形状を有する放物線にて形成され、音量レベルが小さい範囲では、音量レベルの増減による音量出力レベルの増減度合いが小さくなり、音量レベルが大きい範囲では、音量レベルの増減による音量出力レベルの増減度合いが大きくなっている。すなわち、音量レベルが小さい範囲で音量の微調整が可能になっている。従って、当該音量出力パターンＰ１３は音量が小さい範囲で細かく音量を調整する際の利用態様の場合に選択して好適である。
【００３９】
そして、これらの音量出力パターンＰ１１〜Ｐ１３は、上述した音量出力パターンＰ１と同様に具体的には音量出力パターンテーブルにて実現されている。この音量出力パターンテーブルのテーブル構成を図７に示す。ここで、音量出力パターンテーブルＴＢＬ１１は音量出力パターンＰ１１を実現するものであり、音量出力パターンテーブルＴＢＬ１２は音量出力パターンＰ１２を実現するものであり、音量出力パターンテーブルＴＢＬ１３は音量出力パターンＰ１３を実現するものである。この音量出力パターンテーブルＴＢＬ１１〜ＴＢＬ１３は、ＥＥＰＲＯＭ４０に格納され、適宜参照されることになる。同図において、音量出力パターンテーブルＴＢＬ１１〜ＴＢＬ１３は、上述と同様に、音量レベルの増減操作可能な０〜２０段階の音量レベルに対応して音量レベルデータＤ１が格納されるとともに、同音量レベルデータＤ１に対応して音量出力レベルデータＤ２が格納されている。すなわち、マイコン１０は、操作パネル５０あるいはリモコン装置７０によって選択された音量出力パターンＰ１１〜Ｐ１３に基づいた音量出力パターンテーブルＴＢＬ１１〜ＴＢＬ１３から音量レベルの増減操作によって設定された音量レベルに対応した音量レベルデータＤ１に基づいて、音量出力レベルデータＤ２を抽出し、同抽出した音量出力レベルデータＤ２に設定されている音量出力レベルに基づいて増幅パルス信号のパルス幅を形成する。
【００４０】
ここで、図８および図９は、利用者が音量出力パターンＰ１１〜Ｐ１３から何れかの音量出力パターンＰ１１〜Ｐ１３を選択する際に、ＣＲＴ６２に表示される画面の一例を示した画面図である。図においては、図８は、利用者が所定の設定操作を行った場合に、ＯＳＤ機能によってＣＲＴ６２に表示される画面１００を示している。かかる画面１００において、利用者は所望の音量出力パターンＰ１１〜Ｐ１３を選択したい場合は、操作パネル５０あるいはリモコン装置７０の所定のボタンを押し下げて「はい」１０１を選択する。選択しない場合は、「いいえ」１０２を選択する。「いいえ」１０２を選択した場合は、音量出力パターンＰ１１〜Ｐ１３の選択は行われず、デフォルトの音量出力パターンＰ１１〜Ｐ１３となる。通常は、音量レベルと音量出力レベルとが比例する音量出力パターンＰ１２がデフォルトとなっている。
【００４１】
一方、「はい」１０１を選択した場合は、ＣＲＴ６２に図９に示した画面２００が表示される。この画面２００は、音量出力パターンＰ１１〜Ｐ１３のイメージ曲線を表示したものであり、利用者は操作パネルあるいはリモコン装置７０の音量ボタン７１，７２を押し下げつつ、音量出力パターンＰ１１〜Ｐ１３を選択可能になっている。すなわち、音量レベルの増加操作を行う音量ボタン７１を押し下げた場合、画面２００に表示されている音量出力パターンのイメージ曲線が上側に移動して実線表示となり、他は点線表示となる。この実線表示された音量出力パターンが選択された音量出力パターンとなる。また、音量レベルの減少操作を行う音量ボタン７１を押し下げた場合、画面２００に表示されている音量出力パターンのイメージ曲線が下側に移動して実線表示となり、他は点線表示となる。同様に実線表示された音量出力パターンが選択された音量出力パターンとなる。
【００４２】
図１０は、マイコン１０にて実行される音量出力制御処理の処理内容を示したフローチャートである。同図において、操作パネル５０あるいはリモコン装置７０に配設された音量ボタンが押し下げられたか否かを判別する（ステップＳ１００）。音量ボタンが押し下げられたと判別した場合は、ＥＥＰＲＯＭ４０から選択されている音量出力パターンを取得する（ステップＳ１０５）。また、現在、設定されている音量レベルを取得する（ステップＳ１１０）。このとき、利用者はこれから行う音量レベルの増減操作が何れの音量出力パターンに基づいたものであるかを認識することができると好適である。そこで、ＣＲＴ６２に図１１に示した音量出力パターン画面３００を表示する（ステップＳ１１５）。同図において、音量出力パターン画面３００は、パターンイメージ３０１と、現在の音量レベルを示すレベルゲージ３０２とから構成されている。
【００４３】
従って、利用者は、音量ボタンを押し下げた際にＣＲＴ６２に表示される当該音量出力パターン画面３００のパターンイメージ３０１によって、何れの音量出力パターンＰ１１〜Ｐ１３が選択されているかを認識するとともに、レベルゲージ３０２によって、現在の音量レベルを認識可能になっている。本実施形態においては、音量出力パターンＰ１３が選択され、音量レベルが最小音量レベルと最大音量レベルとの略中間位置に設定されていることが分かる。上述したように、最初の音量ボタンの押し下げで、利用者は選択している音量出力パターンを確認することができる。利用者は、現在の音量出力パターンＰ１３および音量レベルを確認した上で、音量レベルの増減操作を行うために、音量ボタンを押し下げるので、この音量ボタンの押し下げが行われるか否かを判別する（ステップＳ１２０）。
【００４４】
音量ボタンが押し下げられたと判別した場合は、選択された音量出力パターンテーブルＴＢＬ１１〜ＴＢＬ１３の何れかから音量出力レベルデータＤ２を取得し（ステップＳ１２５）、この音量出力レベルデータＤ２に基づいて増幅パルス信号のパルス幅を形成する（ステップＳ１３０）。そして、この増幅パルス信号をオーディオアンプ６３に出力する（ステップＳ１３５）。このとき、この増幅パルス信号は、電解コンデンサーＣ１にて増幅電圧に変換されてオーディオアンプ６３に入力されることになる。オーディオアンプ６３は、入力した増幅電圧に基づいて、クロマＩＣ３０から入力した音声信号を増幅し、スピーカ６４に出力する。これによって、利用者は、選択した所望の音量出力パターンＰ１３に基づいた音量出力を得ることが可能になる。一方、ステップＳ１２０にて音量ボタンの押し下げが無いと判別された場合は、ステップＳ１００にて音量ボタンが押し下げられてから所定時間が経過しているか否かを判別し（ステップＳ１４０）、所定時間が経過していない場合は、再度、ステップＳ１２０の音量ボタンの押し下げ動作待ち状態に遷移する。
【００４５】
上述した実施形態を採用することによって、利用者は所望の音量出力パターンＰ１１〜Ｐ１３に基づいた音量出力を取得することができる。すなわち、通常の利用態様の場合は、音量出力パターンＰ１２を選択し、音量レベルの増減と比例した音量出力を取得すれば良いし、店頭デモ等、大音量を必要とする利用態様の場合は、音量出力パターンＰ１１を選択し、大音量出力を取得すれば良い。一方、音量レベルが小さい範囲で音量を微調整する利用態様の場合は、音量出力パターンＰ１３を選択し、小音量レベルの範囲で微調整可能にすれば良い。
【００４６】
ここで、このように所望の音量出力パターンＰ１１〜Ｐ１３を選択することを可能にすると言う観点においては、音量出力パターンＰ１１〜Ｐ１３を利用者が所望の音量出力パターンに変更することができると好適である。音量出力パターンを変更することを所望する一例として、所定の音量出力レベル以上の出力を制限してしまう態様が勘案される。次に、かかる態様を実現可能な構成について説明する。図１２は、操作パネル５０あるいはリモコン装置７０における所定操作にてＣＲＴ６２にＯＳＤ機能により表示される音量制限機能設定画面の一例を示した画面図である。同図において、音量制限機能設定画面４００には、音量制限の設定を選択する場合に押し下げる「はい」ボタン４０１と、「はい」ボタン４０１を選択した際に、制限する音量レベルを設定する「音量制限値」設定欄４０２と、音量制限の設定を選択しない場合に押し下げる「いいえ」ボタン４０３とにより構成されている。本実施形態においては、音量レベル「１０」が設定され、同音量レベル「１０」に対応する音量出力レベル以上の音量出力がなされないようにする。
【００４７】
図１３は、音量制限機能設定画面４００にて「はい」ボタン４０１が選択された場合に、マイコン１０にて実行される音量出力制御処理の処理内容を示したフローチャートである。同図において、操作パネル５０あるいはリモコン装置７０に配設された音量ボタンが押し下げられたか否かを判別する（ステップＳ２００）。音量ボタンが押し下げられたと判別した場合は、ＥＥＰＲＯＭ４０から選択されている音量出力パターンを取得する（ステップＳ２０５）。また、現在、設定されている音量レベルを取得する（ステップＳ２１０）。そして、ＣＲＴ６２に図１１に示した音量出力パターン画面３００を表示する（ステップＳ２１５）。利用者は、現在の音量出力パターンおよび音量レベルを確認した上で、音量レベルの増減操作を行うために、音量ボタンを押し下げるので、この音量ボタンの押し下げが行われるか否かを判別する（ステップＳ２２０）。
【００４８】
音量ボタンが押し下げられたと判別した場合は、音量出力パターンテーブルＴＢＬ１１〜ＴＢＬ１３から音量出力レベルデータＤ２を取得する（ステップＳ２２５）。そして、音量制限機能が設定されているか否かを判別する（ステップＳ２３０）。音量制限機能が設定されている場合は、上述した音量制限機能設定画面４００の「音量制限値」設定欄４０２に設定されている音量出力レベルを取得するとともに、ステップＳ２２５にて取得した音量出力レベルと比較する（ステップＳ２３５）。ここで、ステップＳ２２５にて取得した音量出力レベルデータＤ２の方が大きい場合は、音量出力を増加させることなく現状の音量出力を維持させるため、音量出力制御処理を終了させる。かかる場合、図１４に示したとおり、所定の音量出力レベルにおいて、それ以上の音量出力を制限させる。一方、ステップＳ２２５にて取得した音量出力レベルデータＤ２の方が小さい場合は、この音量出力レベルデータＤ２に基づいて増幅パルス信号のパルス幅を形成する（ステップＳ２４５）。
【００４９】
そして、この増幅パルス信号をオーディオアンプ６３に出力する（ステップＳ１３５）。このとき、この増幅パルス信号は、電解コンデンサーＣ１にて増幅電圧に変換されてオーディオアンプ６３に入力されることになる。オーディオアンプ６３は、入力した増幅電圧に基づいて、クロマＩＣ３０から入力した音声信号を増幅し、スピーカ６４に出力する。これによって、利用者は、選択した所望の音量出力パターンＰ１３において音量制限機能設定にて設定した音量出力以上の音量が出力されてしまうことを防止することが可能になる。一方、ステップＳ１２０にて音量ボタンの押し下げが無いと判別された場合は、ステップＳ１００にて音量ボタンが押し下げられてから所定時間が経過しているか否かを判別し（ステップＳ１４０）、所定時間が経過していない場合は、再度、ステップＳ１２０の音量ボタンの押し下げ動作待ち状態に遷移する。
【００５０】
上述してきた実施形態においては、選択された音量出力パターンＰ１１〜Ｐ１３に対応したデータを音量出力パターンテーブルＴＢＬ１１〜ＴＢＬ１３として構成し、予めＥＥＰＲＯＭ４０に格納する構成を採用した。むろん、このように選択された音量出力パターンＰ１１〜Ｐ１３に対応したデータをＥＥＰＲＯＭ４０に予め格納しておく態様に限定されるものではなく、音量出力パターンＰ１１〜Ｐ１３毎に音量レベルから音量出力レベルを算出可能な演算式を予め用意しておき、適宜、演算式を使用して音量出力レベルを算出するようにしても良い。
【００５１】
ここで、図１５は、このように演算式を使用する場合にマイコン１０にて実行される音量出力制御処理の処理内容を示したフローチャートである。同図において、操作パネル５０あるいはリモコン装置７０に配設された音量ボタンが押し下げられたか否かを判別する（ステップＳ３００）。音量ボタンが押し下げられたと判別した場合は、ＥＥＰＲＯＭ４０から選択されている音量出力パターンを取得する（ステップＳ３０５）。また、現在、設定されている音量レベルを取得する（ステップＳ３１０）。そして、ＣＲＴ６２に図１１に示した音量出力パターン画面３００を表示する（ステップＳ３１５）。利用者は、現在の音量出力パターンＰ１３および音量レベルを確認した上で、音量レベルの増減操作を行うために、音量ボタンを押し下げるので、この音量ボタンの押し下げが行われるか否かを判別する（ステップＳ３２０）。
【００５２】
音量ボタンが押し下げられたと判別した場合は、選択された音量出力パターンＰ１１〜Ｐ１３に対応した演算式を取得し（ステップＳ３２５）、この演算式に基づいて音量出力レベルを算出するとともに（ステップＳ３３０）、算出した音量出力レベルに基づいて増幅パルス信号のパルス幅を形成する（ステップＳ３３５）。そして、この増幅パルス信号をオーディオアンプ６３に出力する（ステップＳ３４０）。このとき、この増幅パルス信号は、電解コンデンサーＣ１にて増幅電圧に変換されてオーディオアンプ６３に入力されることになる。オーディオアンプ６３は、入力した増幅電圧に基づいて、クロマＩＣ３０から入力した音声信号を増幅し、スピーカ６４に出力する。これによって、利用者は、選択した所望の音量出力パターンＰ１３に基づいた音量出力を得ることが可能になる。一方、ステップＳ３２０にて音量ボタンの押し下げが無いと判別された場合は、ステップＳ３００にて音量ボタンが押し下げられてから所定時間が経過しているか否かを判別し（ステップＳ３４５）、所定時間が経過していない場合は、再度、ステップＳ１２０の音量ボタンの押し下げ動作待ち状態に遷移する。
【００５３】
（３）まとめ：
このように、予め複数の音量出力パターンＰ１１〜Ｐ１３を備えさせておき、適宜選択可能にすることにより、利用者は利用態様に応じて、何れかの音量出力パターンＰ１１〜Ｐ１３を選択することによって、所望の音量出力を取得することが可能になる。
【図面の簡単な説明】
【図１】  本発明の実施形態にかかるテレビジョンの構成を示したブロック構成図である。
【図２】  テレビジョンに配設されるクロマＩＣの内部構成を示した内部構成図である。
【図３】  マイコンとオーディオアンプとスピーカの接続構成を示した構成図である。
【図４】  音量出力パターンの構成を示した構成図である。
【図５】  音量出力パターンテーブルの構成を示した構成図である。
【図６】  複数の音量出力パターンの構成を示した構成図である。
【図７】  複数の音量出力パターンテーブルの構成を示した構成図である。
【図８】  音量出力パターンを選択する際に表示される画面の画面構成図である。
【図９】  音量出力パターンを選択する際に表示される画面の画面構成図である。
【図１０】  音量出力制御処理の処理内容を示したフローチャートである。
【図１１】  音量ボタンを押し下げた際に表示される音量出力パターン画面の画面構成図である。
【図１２】  音量制限機能を設定する際に表示される音量制限機能設定画面の画面構成図である。
【図１３】  音量出力制御処理の処理内容を示したフローチャートである。
【図１４】  音量制限を行った際の音量出力パターンの構成を示した構成図である。
【図１５】  音量出力制御処理の処理内容を示したフローチャートである。
【符号の説明】
１０…マイコン
１１…ＣＰＵ
１２…ＲＯＭ
１３…ＲＡＭ
１４…Ｉ／Ｏポート
１５…ＯＳＤ
１６…Ａ／Ｄポート
２０…チューナＩＣ
２１…アンテナ
３０…クロマＩＣ
４０…ＥＥＰＲＯＭ
５０…操作パネル
６１…カソードアンプ
６２…ＣＲＴ
６３…オーディオアンプ
６４…スピーカ
６５…偏向回路
６６…偏向コイル
６７…ＦＢＴ
７０…リモコン装置
【図１】
0003700782.tif 000002
【図２】
0003700782.tif 000003
【図３】
0003700782.tif 000004
【図４】
0003700782.tif 000005
【図５】
0003700782.tif 000006
【図６】
0003700782.tif 000007
【図７】
0003700782.tif 000008
【図８】
0003700782.tif 000009
【図９】
0003700782.tif 000010
【図１０】
0003700782.tif 000011
【図１１】
0003700782.tif 000012
【図１２】
0003700782.tif 000013
【図１３】
0003700782.tif 000014
【図１４】
0003700782.tif 000015
【図１５】
0003700782.tif 000016